(57)【要約】【課題】部材本体と他部材との締結用の螺子が指定のものであるか否かを確認する作業を締結作業の前後で容易にすることに寄与する。【解決手段】建築部材１０では、部材本体１６に形成された複数の先孔１８に、指定の螺子１２が挿入され、当該螺子１２を用いて部材本体１６が他の建築部材１４と締結される。この部材本体１６の連結壁１６Ｃの表面には、指定の螺子１２における軸線方向から見た頭部１２Ａの外形形状と相似形で且つ頭部１２Ａよりも大きな図形からなる頭部形状表示部２０が、先孔１８を中心として表示されている。このため、締結作業の前のみならず、締結作業の後においても、締結用の螺子の頭部が指定のものであるか否かを、一目で確認することができる。【選択図】図１
2014227723.tif 000002
【特許請求の範囲】
【請求項１】
先孔が形成されると共に、当該先孔に挿入される指定の螺子を用いて他部材と締結される部材本体と、
前記螺子における軸線方向から見た頭部の外形形状と相似形で且つ前記頭部よりも大きな図形からなり、前記先孔を中心として前記部材本体の表面に表示された頭部形状表示部と、
を備えた組立部材。
【請求項２】
前記先孔を中心として前記部材本体の表面に表示されたサイズ表示部を備えており、当該サイズ表示部は、前記螺子が前記頭部と螺子部との間に鍔部を有する場合には、前記螺子の軸線方向から見た前記鍔部の外形形状と相似形で且つ前記鍔部と同等の大きさの図形によって構成される一方、前記螺子が前記鍔部を有しない場合には、前記螺子の軸線方向から見た前記頭部の外形形状と相似形で且つ前記頭部と同等の大きさの図形によって構成される請求項１に記載の組立部材。
【請求項３】
前記螺子の品番又はサイズを示す文字からなり、前記表面に表示された文字表示部を更に備えた請求項１又は請求項２に記載の組立部材。
【請求項４】
前記螺子の半径方向から見た外観を示す図形からなり、前記表面に表示された外観表示部を更に備えた請求項１又は請求項２に記載の組立部材。
【請求項５】
先孔が形成されると共に、当該先孔に挿入される指定の螺子を用いて他部材と締結される部材本体と、
前記螺子の品番を示す文字からなり、前記部材本体の表面に表示された文字表示部と、
を備えた建築部材。
【請求項６】
先孔が形成されると共に、当該先孔に挿入される指定の螺子を用いて他部材と締結される部材本体と、
前記螺子の半径方向から見た外観を示す図形からなり、前記部材本体の表面に表示された外観表示部と、
を備えた建築部材。
【発明の詳細な説明】
【技術分野】
【０００１】
本発明は、螺子を用いて他部材と締結される組立部材及び建築部材に関する。
【背景技術】
【０００２】
下記特許文献１に記載された作業支援装置では、作業ステーションに設置された作業指示端末コンピュータの画面に対して、１つ前の作業内容表示画像と、次の作業内容表示画像とを同時に表示させると共に、作業に必要な部品の部品番号情報を表示させる。そして、これらの表示に基づいて部品の組立作業を行うことにより、作業ミスを回避するようにしている。
【先行技術文献】
【特許文献】
【０００３】
【特許文献１】特開２００２−１０８４３７号公報
【発明の概要】
【発明が解決しようとする課題】
【０００４】
上述の如き作業支援装置では、例えば螺子によって部品同士を組み立てるに際し、当該螺子が指定されたものであるか否かを、部品番号情報によって事前に確認することができる。しかしながら、仮に間違った螺子によって部品同士が組み立てられてしまった場合には、その間違いを事後的に発見することが困難である。
【０００５】
本発明は上記事実を考慮し、部材本体と他部材との締結用の螺子が指定のものであるか否かを確認する作業を締結作業の前後で容易にすることに寄与する組立部材及び建築部材を得ることを目的とする。
【課題を解決するための手段】
【０００６】
請求項１に記載の発明に係る組立部材は、先孔が形成されると共に、当該先孔に挿入される指定の螺子を用いて他部材と締結される部材本体と、前記螺子における軸線方向から見た頭部の外形形状と相似形で且つ前記頭部よりも大きな図形からなり、前記先孔を中心として前記部材本体の表面に表示された頭部形状表示部と、を備えている。
【０００７】
請求項１に記載の発明では、部材本体に形成された先孔に、指定の螺子が挿入され、当該螺子を用いて部材本体が他部材と締結される。この部材本体の表面には、上記指定の螺子における軸線方向から見た頭部の外形形状と相似形で且つ当該頭部よりも大きな図形からなる頭部形状表示部が、上記先孔を中心として表示されている。このため、締結作業の前のみならず、締結作業の後においても、締結用の螺子の頭部が指定のものであるか否かを、一目で確認することができる。したがって、締結用の螺子が指定のものであるか否かを確認する作業を締結作業の前後で容易にすることに寄与する。
【０００８】
請求項２に記載の発明に係る組立部材は、請求項１において、前記先孔を中心として前記部材本体の表面に表示されたサイズ表示部を備えており、当該サイズ表示部は、前記螺子が前記頭部と螺子部との間に鍔部を有する場合には、前記螺子の軸線方向から見た前記鍔部の外形形状と相似形で且つ前記鍔部と同等の大きさの図形によって構成される一方、前記螺子が前記鍔部を有しない場合には、前記螺子の軸線方向から見た前記頭部の外形形状と相似形で且つ前記頭部と同等の大きさの図形によって構成される。
【０００９】
請求項２に記載の発明では、部材本体の表面に上記の如きサイズ表示部が表示されているため、他部材との締結に用いられた螺子が鍔部を有する場合には、当該鍔部とサイズ表示部とを見比べることにより、その螺子が指定されたサイズであるか否かを、締結作業後に一目で確認することができる。一方、他部材との締結に用いられた螺子が鍔部を有しない場合には、当該螺子の頭部とサイズ表示部とを見比べることにより、その螺子が指定されたサイズであるか否かを、締結作業後に一目で確認することができる。したがって、部材本体と他部材との締結に用いられた螺子が指定のものであるか否かを確認する作業を一層容易にすることに寄与する。
【００１０】
請求項３に記載の発明に係る組立部材は、請求項１又は請求項２において、前記螺子の品番又はサイズを示す文字からなり、前記表面に表示された文字表示部を更に備えている。
【００１１】
請求項３に記載の発明では、部材本体の表面には、他部材との締結に用いられる螺子の品番又はサイズを示す文字からなる文字表示部が更に表示されている。これにより、締結用の螺子が指定のものであるか否かを確認する作業を締結作業の前後で一層容易にすることに寄与する。
【００１２】
請求項４に記載の発明に係る組立部材は、請求項１又は請求項２において、前記螺子の半径方向から見た外観を示す図形からなり、前記表面に表示された外観表示部を更に備えている。
【００１３】
請求項４に記載の発明では、部材本体の表面には、他部材との締結に用いられる螺子の半径方向から見た外観を示す図形からなる外観表示部が更に表示されている。これにより、締結用の螺子が指定のものであるか否かを確認する作業を締結作業の前後で一層容易にすることに寄与する。
【００１４】
請求項５に記載の発明に係る建築部材は、先孔が形成されると共に、当該先孔に挿入される指定の螺子を用いて他部材と締結される部材本体と、前記螺子の品番を示す文字からなり、前記部材本体の表面に表示された文字表示部と、を備えている。
【００１５】
請求項５に記載の発明では、部材本体に形成された先孔に、指定の螺子が挿入され、当該螺子を用いて部材本体が他部材と締結される。この部材本体の表面には、上記指定の螺子の品番を示す文字からなる文字表示部が表示されている。このため、締結作業の前のみならず、締結作業の後においても、締結用の螺子が指定の品番のものであるか否かを、人の記憶等によらずに確認することができる。これにより、締結用の螺子が指定のものであるか否かを確認する作業を締結作業の前後で容易にすることに寄与する。
【００１６】
請求項６に記載の発明に係る建築部材は、先孔が形成されると共に、当該先孔に挿入される指定の螺子を用いて他部材と締結される部材本体と、前記螺子の半径方向から見た外観を示す図形からなり、前記部材本体の表面に表示された外観表示部と、を備えている。
【００１７】
請求項６に記載の発明では、部材本体に形成された先孔に、指定の螺子が挿入され、当該螺子を用いて部材本体が他部材と締結される。この部材本体の表面には、上記指定の螺子の半径方向から見た外観を示す図形からなる外観表示部が表示されている。このため、締結作業の前のみならず、締結作業の後においても、締結用の螺子が指定の外観（形状）のものであるか否かを、人の記憶等によらずに確認することができる。これにより、締結用の螺子が指定のものであるか否かを確認する作業を締結作業の前後で容易にすることに寄与する。
【発明の効果】
【００１８】
以上説明したように、本発明に係る組立部材及び建築部材では、部材本体と他部材との締結用の螺子が指定のものであるか否かを確認する作業を締結作業の前後で容易にすることに寄与する。
【図面の簡単な説明】
【００１９】
【図１】本発明の第１実施形態に係る建築部材の一部を含む周辺部材の構成を示す斜視図である。
【図２】同建築部材の先孔に螺子が挿入された状態を示し、（Ａ）は指定の螺子が用いられた場合の図であり、（Ｂ）は頭部形状が指定通りではない螺子が用いられた場合の図であり、（Ｃ）は指定のサイズよりも小さい螺子が用いられた場合の図であり、（Ｄ）は指定のサイズよりも大きい螺子が用いられた場合の図である。
【図３】本発明の第２実施形態に係る建築部材を含む周辺部材の構成を示す平面図である。
【図４】本発明の第３実施形態に係る建築部材の部分的な構成を示す正面図である。
【図５】本発明の第４実施形態に係る建築部材の部分的な構成を示す正面図である。
【発明を実施するための形態】
【００２０】
＜第１の実施形態＞
以下、図１及び図２を用いて、本発明の第１実施形態に係る建築部材１０について説明する。図１に示される建築部材１０は、建築用の組立部材である。具体的には、この建築部材１０は、スチールハウス（薄板軽量形鋼造）の柱として用いられる厚さ１ミリ前後のスチール製の枠材であり、指定された螺子１２を用いて他の建築部材１４（他部材）と締結される構成になっている。
【００２１】
上記の螺子１２は、本実施形態では、頭部形状の種類が「六角」で、サイズが「４８φ×１９」のものであり、品番（規格記号）が「ＤＮＨ４８１９」とされている。この螺子１２では、頭部１２Ａと螺子部１２Ｂとの間にフランジ状（円環状）の鍔部１２Ｃが設けられている。なお、スチールハウス用の螺子における頭部形状の種類には、上記の六角以外に、ナベ、サラ、シンワッシャー、ラッパ、フレキ、フラットウエハー、フレキウエハー、ウエハー、平などがある。
【００２２】
建築部材１０は、スチール製の板材によって形成された所謂Ｃチャンネルであり、長尺な部材本体１６を備えている。部材本体１６は、互いに対向した一対の側壁１６Ａ、１６Ｂと、側壁１６Ａ、１６Ｂにおける一方の短辺縁部間を連結した連結壁１６Ｃと、側壁１６Ａ、１６Ｂにおける他方の短辺縁部から互いに接近する側へ延出されたフランジ壁１６Ｄ、１６Ｅとを一体に備えており、断面略Ｃの字状に形成されている。
【００２３】
部材本体１６の連結壁１６Ｃには、複数の先孔１８が形成されており、これらの先孔１８に挿入された螺子１２を用いて、部材本体１６が他の建築部材１４と締結固定される。なお、本実施形態では、上記他の建築部材１４は、建築部材１０と同じ構成とされている。
【００２４】
また、連結壁１６Ｃの側壁１６Ａ、１６Ｂ側の表面における複数の先孔１８の回りには、それぞれ頭部形状表示部２０が表示されている。これらの頭部形状表示部２０は、螺子１２の軸線方向から見た頭部１２Ａの外形形状と相似形（ここでは正六角形）で、且つ、頭部１２Ａよりも大きな図形からなり、各先孔１８を中心として連結壁１６Ｃの表面に表示されている。
【００２５】
さらに、連結壁１６Ｃの側壁１６Ａ、１６Ｂ側の表面における複数の先孔１８の回りには、それぞれサイズ表示部２２が表示されている。これらのサイズ表示部２２は、螺子１２の軸線方向から見た鍔部１２Ｃの外形形状（ここでは円形）と相似形で、且つ、鍔部１２Ｃと同等の大きさの図形によって構成されており、各先孔１８を中心として連結壁１６Ｃの表面に表示されている。
【００２６】
頭部形状表示部２０及びサイズ表示部２２は、例えば、印刷（インクジェット等）、プレス加工、又はその他の手段によって、部材本体１６の表面に表示される。なお、指定の螺子の頭部形状が、六角及びシンワッシャー以外の場合は、鍔部が存在しない。その場合、サイズ表示部は、当該螺子の軸線方向から見た頭部の外形形状と相似形で且つ当該頭部と同等の大きさの図形によって構成される。
【００２７】
次に、本実施形態の作用及び効果について説明する。
【００２８】
上記構成の建築部材１０では、部材本体１６に形成された複数の先孔１８に、指定の螺子１２が挿入され、当該螺子１２を用いて部材本体１６が他の建築部材１４と締結される。この部材本体１６の連結壁１６Ｃの表面には、指定の螺子１２における軸線方向から見た頭部１２Ａの外形形状と相似形で且つ頭部１２Ａよりも大きな図形からなる頭部形状表示部２０が、先孔１８を中心として表示されている。このため、締結作業の前のみならず、締結作業の後においても、締結用の螺子の頭部が指定のものであるか否かを、一目で確認することができる。
【００２９】
つまり、締結作業の前には、使用する螺子の頭部形状が容易に分かるため、使用する螺子の頭部形状を図面や口頭によって指示する手間を削減することができると共に、人の記憶による曖昧さを少なくすることができ、間違いを減らすことができる。
【００３０】
また、締結作業の後では、図２（Ａ）に示されるように、頭部形状表示部２０の内側に、螺子１２の頭部１２Ａが同心状に配置される。この頭部１２Ａの形状と頭部形状表示部２０の形状とが一致していれば、正しい頭部形状の螺子１２が使用されたことが分かる。一方、例えば、図２（Ｂ）に示されるように、頭部形状が円形の螺子２４が間違って使用された場合には、当該螺子２４の頭部２４Ａの形状と頭部形状表示部２０の形状とが異なっていることにより、間違いに気付くことができる。したがって、締結用の螺子が指定のものであるか否かを確認する作業を締結作業の前後で容易にすることに寄与する。
【００３１】
しかも、本実施形態では、部材本体１６の連結壁１６Ｃの表面には、上記螺子１２の軸線方向から見た鍔部１２Ｃの外形形状と相似形の図形からなるサイズ表示部２２が、先孔１８を中心として表示されている。このサイズ表示部２２は、図２（Ａ）に示されるように、鍔部１２Ｃと同等の大きさに設定されているため、鍔部１２Ｃとサイズ表示部２２とを見比べることにより、その螺子１２が指定されたサイズであるか否かを、締結作業後に一目で確認することができる。
【００３２】
なお、図２（Ｃ）に示されるように、使用された螺子２６の頭部２６Ａが六角の場合でも、当該螺子２６のサイズが指定の螺子１２のサイズよりも小さい場合には、当該螺子２６の鍔部２６Ｃがサイズ表示部２２から内側に離れて小さく配置される。一方、図２（Ｄ）に示されるように、使用された螺子２８の頭部２８Ａが六角の場合でも、当該螺子２８のサイズが指定の螺子１２のサイズよりも大きい場合には、当該螺子２８の鍔部２８Ｃによってサイズ表示部２２が覆われる。従って、何れの場合でも間違いに気付くことができる。これにより、締結に用いられた螺子が指定のものであるか否かを確認する作業を一層容易にすることに寄与する。
【００３３】
なお、上記第１実施形態では、建築部材１０がサイズ表示部２２を備えた構成にしたが、請求項１に係る発明はこれに限らず、サイズ表示部２２が省略された構成にしてもよい。
【００３４】
また、上記第１実施形態では、建築部材１０に対して請求項２に係る発明が適用された場合について説明したが、これに限らず、請求項１〜請求項３に係る発明は、建築部材以外の組立部材に対しても適用可能である。
【００３５】
また、上記第１実施形態では、部材本体１６がスチール製とされた構成にしたが、請求項１〜請求項６に係る発明はこれに限らず、部材本体の材質は適宜変更可能である。例えば、部材本体が木製とされた構成にしてもよい。
【００３６】
次に、本発明の他の実施形態について説明する。なお、前記第１の実施形態と基本的に同様の構成・作用については、前記第１の実施形態と同符号を付与し、その説明を省略する。
【００３７】
＜第２の実施形態＞
図３には、本発明の第２実施形態に係る建築部材３０を含む周辺部材の構成が平面図にて示されている。この建築部材３０は、前記第１実施形態に係る建築部材１０と同様に建築用の組立部材であるが、スチールハウスの梁として用いられるスチール製の枠材である。この建築部材３０は、指定された螺子（図示省略）を用いて他の建築部材（他部材：図示省略）と締結される構成になっている。なお、図３において符号３２が付された部材は、スチールハウスの柱を構成する建築部材である。
【００３８】
上記の建築部材３０は、スチール製の板材によって形成された長尺な部材本体３４を備えている。この部材本体３４には、複数の先孔１８が形成されており、これらの先孔１８に挿入された指定の螺子を用いて、部材本体３４が他の建築部材と締結固定される。この点は、前記第１実施形態に係る建築部材１０と基本的に同様の構成とされている。
【００３９】
但し、この建築部材３０は、前記第１実施形態における頭部形状表示部２０及びサイズ表示部２２の代わりに、文字表示部３６を備えている。この文字表示部３６は、指定された螺子の品番を示す文字からなり、スチールハウスのモジュール間において部材本体３４の上面に表示されている。
【００４０】
この実施形態では、上記のように構成されているため、螺子による部材本体３４の締結作業の前のみならず、締結作業の後においても、締結用の螺子が指定の品番のものであるか否かを、人の記憶等によらずに確認することができる。これにより、締結用の螺子が指定のものであるか否かを確認する作業を締結作業の前後で容易にすることに寄与する。
【００４１】
なお、上記第２実施形態において、建築部材３０が、頭部形状表示部２０及びサイズ表示部２２のうちの一方又は両方を更に備えた構成にしてもよい。
【００４２】
＜第３の実施形態＞
図４には、本発明の第３実施形態に係る建築部材４０の部分的な構成が正面図にて示されている。この建築部材４０は、前記第１実施形態に係る建築部材１０と基本的に同様の構成とされているが、前記第１実施形態に係るサイズ表示部２２の代わりに、文字表示部４２を備えている。この文字表示部４２は、部材本体１６と他部材との締結に用いられる指定の螺子（図示省略）のサイズを示す文字からなり、部材本体１６の連結壁１６Ｃの表面に表示されている。
【００４３】
この実施形態においても、頭部形状表示部２０と文字表示部４２とによって、指定された螺子の頭部形状の種類やサイズを確認することができるので、前記第１実施形態と基本的に同様の作用効果を奏する。
【００４４】
なお、上記第３実施形態において、建築部材４０が、サイズ表示部２２を更に備えた構成にしてもよい。
【００４５】
＜第４の実施形態＞
図５には、本発明の第４実施形態に係る建築部材５０の部分的な構成が正面図にて示されている。この建築部材５０は、前記第１実施形態に係る建築部材１０と基本的に同様の構成とされているが、前記第１実施形態に係る頭部形状表示部２０及びサイズ表示部２２の代わりに、外観表示部５２を備えている。この外観表示部５２は、部材本体１６と他部材との締結に用いられる指定の螺子（ここではサラ螺子）における半径方向から見た外観を示す図形（姿図）からなり、部材本体１６の連結壁１６Ｃの表面に表示されている。
【００４６】
この実施形態においても、外観表示部５２によって、指定された螺子の頭部形状の種類やサイズを確認することができるので、前記第１実施形態と基本的に同様の作用効果を奏する。
【００４７】
なお、上記第４実施形態において、建築部材５０が、頭部形状表示部２０、サイズ表示部２２、文字表示部４２のうちの少なくとも１つを更に備えた構成にしてもよい。
【符号の説明】
【００４８】
１０      建築部材
１２      螺子
１２Ａ    頭部
１２Ｂ    螺子部
１２Ｃ    鍔部
１４      建築部材
１６      部材本体
１６Ａ、１６Ｂ    側壁
１６Ｃ    連結壁
１６Ｄ、１６Ｅ    フランジ壁
１８      先孔
２０      頭部形状表示部
２２      サイズ表示部
３０      建築部材
３４      部材本体
３６      文字表示部
４０      建築部材
４２      文字表示部
５０      建築部材
５２      外観表示部
【図１】
2014227723.tif 000003
【図２】
2014227723.tif 000004
【図３】
2014227723.tif 000005
【図４】
2014227723.tif 000006
【図５】
2014227723.tif 000007